(57)【要約】【課題】整列巻きされた巻線の列替角度を小さくする。【解決手段】ステータ２０では、ティース部３０の側面３２側に配置された１層目の巻線４２の巻線ピッチが、２箇所の第１ピッチＰ１と１箇所の第２ピッチＰ２とで構成されている。具体的には、巻線４２（２）と巻線４２（４）との間及び巻線４２（６）と巻線４２（８）との間の巻線ピッチが第１ピッチＰ１とされており、第１ピッチＰ１が巻線４２の線径ｄと一致している。また、巻線４２（４）と巻線４２（６）との間の巻線ピッチが第２ピッチＰ２とされており、第２ピッチＰ２は、第１ピッチＰ１より大きく且つ巻線４２の線径ｄの２倍よりも小さく設定されている。このため、ステータ２０の径方向において、巻線４２（６），（８））の位置を、第２ピッチＰ２によって調整することができる。これにより、２層目に巻き回される巻線４２の列替角度を小さくすることができる。【選択図】図１
2015216731.tif 000002
【特許請求の範囲】
【請求項１】
環状の継鉄部から当該継鉄部の径方向へ放射状に延設された複数のティース部を含んで構成された電機子コアと、
前記ティース部に２層以上をなすように整列され集中巻きされた巻線で構成され、前記ティース部に対して前記継鉄部の周方向一側の１層目を構成する前記巻線の巻線ピッチが、第１ピッチと、前記第１ピッチより大きく且つ前記巻線の線径の２倍より小さく設定された第２ピッチと、で構成されたコイルと、
を備えた電機子。
【請求項２】
前記第１ピッチを構成する前記巻線に接触する前記コイルの２層目の前記巻線が第１巻線部とされ、
前記第２ピッチを構成する前記巻線に接触する前記コイルの２層目の前記巻線が第２巻線部とされ、
前記第２巻線部が、前記第１巻線部に対して前記継鉄部の径方向内側に配置されると共に、前記第１巻線部に対して前記ティース部側に配置された請求項１に記載の電機子。
【請求項３】
前記コイルには、前記第２ピッチが複数形成されており、前記第２ピッチが前記継鉄部の径方向内側に配置されるに従い大きくなるように設定され、
前記コイルの２層目の前記巻線が前記第２ピッチを構成する前記巻線にそれぞれ接触された請求項１に記載の電機子。
【請求項４】
前記継鉄部の軸方向から見て、前記ティース部における前記継鉄部の径方向内側の幅寸法が、前記ティース部における前記継鉄部の径方向外側の幅寸法よりも小さく設定された請求項２又は請求項３に記載の電機子。
【発明の詳細な説明】
【技術分野】
【０００１】
本発明は、電機子に関する。
【背景技術】
【０００２】
下記特許文献１に記載された電機子は、径方向に延びる複数のティースを備えたコアと、巻線がティースに複数層をなすように整列され集中巻きされたコイルと、を含んで構成されている。そして、コイルが周方向において非対称形状に形成されており、隣接するコイル同士が干渉しないように構成されている。
【先行技術文献】
【特許文献】
【０００３】
【特許文献１】特開２００６−３５３０３８号公報
【発明の概要】
【発明が解決しようとする課題】
【０００４】
ところで、電機子では軽量化を目的として、コイルの巻線を銅からアルミニウムにする場合があり、この場合には、巻線の抵抗率を考慮して巻線の線径が大きくなる。また、銅の巻線を使用するときでも巻線の抵抗を低くするために、線径を大きくする場合がある。このようなときには、整列巻きされた巻線の列替角度が大きくなるため、巻線の巻き崩れの発生を抑制する構造にすることが望ましい。
【０００５】
本発明は、上記事実を考慮し、整列巻きされた巻線の列替角度を小さくすることができる電機子を提供することを目的とする。
【課題を解決するための手段】
【０００６】
本発明の電機子は、環状の継鉄部から当該継鉄部の径方向へ放射状に延設された複数のティース部を含んで構成された電機子コアと、前記ティース部に２層以上をなすように整列され集中巻きされた巻線で構成され、前記ティース部に対して前記継鉄部の周方向一側の１層目を構成する前記巻線の巻線ピッチが、第１ピッチと、前記第１ピッチより大きく且つ前記巻線の線径の２倍より小さく設定された第２ピッチと、で構成されたコイルと、を備えている。
【０００７】
上記構成の電機子によれば、電機子コアが、環状の継鉄部と複数のティース部とを含んで構成されており、ティース部は継鉄部から継鉄部の径方向へ放射状に延設されている。このティース部には、コイルが設けられており、コイルは、ティース部に２層以上をなすように整列され集中巻きされた巻線で構成されている。
【０００８】
ここで、ティース部に対して継鉄部の周方向一側の１層目を構成する巻線の巻線ピッチが、第１ピッチと、第１ピッチより大きく且つ巻線の線径の２倍より小さく設定された第２ピッチと、で構成されている。このため、第１ピッチを構成する巻線の位置を第２ピッチによって調整することができる。これにより、２層目に巻き回される巻線の列替角度を小さくすることができる。
【０００９】
本発明の電機子は、上記構成に加えて、前記第１ピッチを構成する前記巻線に接触する前記コイルの２層目の前記巻線が第１巻線部とされ、前記第２ピッチを構成する前記巻線に接触する前記コイルの２層目の前記巻線が第２巻線部とされ、前記第２巻線部が、前記第１巻線部に対して前記継鉄部の径方向内側に配置されると共に、前記第１巻線部に対して前記ティース部側に配置されている。
【００１０】
上記構成の電機子によれば、第１ピッチを構成する巻線に接触するコイルの２層目の巻線が第１巻線部とされ、第２ピッチを構成する巻線に接触するコイルの２層目の巻線が第２巻線部とされている。そして、第２巻線部が、第１巻線部に対して継鉄部の径方向内側に配置されると共に、第１巻線部に対してティース部側に配置されている。このため、コイルにおける継鉄部の径方向内側の幅寸法を、コイルにおける継鉄部の径方向外側の幅寸法に比べて小さくすることができる。これにより、継鉄部の周方向に隣接するコイル同士の干渉を回避しつつ、巻線をより多く配置することができる。
【００１１】
本発明の電機子は、上記構成に加えて、前記コイルには、前記第２ピッチが複数形成されており、前記第２ピッチが前記継鉄部の径方向内側に配置されるに従い大きくなるように設定され、前記コイルの２層目の前記巻線が前記第２ピッチを構成する前記巻線にそれぞれ接触されている。
【００１２】
上記構成の電機子によれば、２ピッチが複数形成されており、第２ピッチが継鉄部の径方向内側に配置されるに従い大きくなるように設定されている。このため、コイルの幅寸法を、継鉄部の径方向内側へ向かうに従い小さくすることができる。これにより、継鉄部の周方向に隣接するコイル同士の干渉を効果的に回避しつつ、巻線をより多く配置することができる。
【００１３】
本発明の電機子は、上記構成に加えて、前記継鉄部の軸方向から見て、前記ティース部における前記継鉄部の径方向内側の幅寸法が、前記ティース部における前記継鉄部の径方向外側の幅寸法よりも小さく設定されている。
【００１４】
上記構成の電機子によれば、コイルにおける継鉄部の径方向内側の幅寸法を、コイルにおける継鉄部の径方向外側の幅寸法に比べて一層小さくすることができる。
【図面の簡単な説明】
【００１５】
【図１】第１の実施の形態に係るステータのティース部を示す模式的な平面図である。
【図２】図１に示されるステータが適用されたブラシレスモータの全体を模式的に示す平面図である。
【図３】比較例のステータのティース部を示す図１に対応する模式的な平面図である。
【図４】第２の実施の形態に係るステータのティース部を示す模式的な平面図である。
【図５】図１に示されるコイルの他の例を示す図１に対応する模式的な平面図である。
【発明を実施するための形態】
【００１６】
（第１の実施の形態）
以下、図１〜図３を用いて第１の実施の形態に係る「電機子」としてのステータ２０が適用されたブラシレスモータ１０（広義には、「回転電機」をして把握される要素である）について説明する。図２に示されるように、ブラシレスモータ１０は、所謂インナーロータタイプのブラシレスモータとして構成されている。すなわち、ブラシレスモータ１０は、その軸心部においてロータ１２を有しており、ロータ１２の外周部には、図示しないマグネットが設けられている。
【００１７】
ステータ２０は、略円筒形状を成すと共に、ロータ１２の径方向外側に設けられ、ロータ１２の径方向においてロータ１２と対向して配置されている。そして、ステータ２０は、略円筒状のハウジング１８内に嵌入されて、ハウジング１８に固定されている。
【００１８】
ステータ２０は、略円筒形状に形成された「電機子コア」としてのステータコア２２を有している。このステータコア２２は、複数（本実施の形態では、１２個）のコア構成部２４によって構成されており、コア構成部２４がステータ２０の周方向に連続的に配置されている。図１に示されるように、コア構成部２４におけるステータ２０の径方向外側部分は継鉄構成部２６とされている。この継鉄構成部２６は、ステータ２０の軸方向を長手方向として配置された略矩形板状に形成されており、ステータ２０の径方向を板厚方向として配置されている。そして、各継鉄構成部２６が、ステータ２０の周方向に連続的に配置されて、ステータコア２２の継鉄部２８が形成されている。
【００１９】
また、コア構成部２４はティース部３０を有している。ティース部３０は、ステータ２０の軸方向を長手方向とする略直方体状に形成されて、継鉄構成部２６の幅方向中央部からステータ２０の径方向内側へ延設されている。これにより、ステータ２０の軸方向から見て、ティース部３０が、継鉄部２８からステータ２０（継鉄部２８）の径方向内側へ放射状に延出されると共に、ステータ２０（継鉄部２８）の周方向に等間隔（３０°毎）に配置されている。さらに、ステータ２０の軸方向から見たティース部３０の幅寸法Ｗは一定に設定されており、ティース部３０におけるステータ２０の周方向一方側（図１の矢印Ａ方向側）の面が側面３２とされ、ティース部３０におけるステータ２０の周方向他方側（図１の矢印Ｂ方向側）の面が側面３４とされている。また、ティース部３０の先端部（ステータ２０の径方向内側端部）には、フランジ部３６が形成されており、フランジ部３６は、ティース部３０からティース部３０の外形外側へ延出されている。
【００２０】
さらに、ステータ２０はコイル４０を有している。コイル４０は、ティース部３０に巻き回された巻線４２によって形成されており、巻線４２は、アルミニウムを主成分とした金属（ＪＩＳ規格において規定される１０００番台）により構成された線材で製作されている。そして、巻線４２がインシュレータ（図示省略）を介してティース部３０に集中巻きにて２層に巻き回されている。具体的には、巻線４２が、ティース部３０の先端側（ステータ２０の径方向内側）における側面３４側からティース部３０の基端側（ステータ２０の径方向外側）へ向けて巻き回されて、ティース部３０の基端側において２層に巻き回されている。
【００２１】
以下、図１を用いて巻線４２が巻き回された状態を説明する。なお、図１では、巻線４２が巻き回された状態を理解し易くするために、巻線４２が巻き回される順に即して巻線４２に数字を付しており、以下の説明では、当該数字を巻線４２の符号の後に括弧書きで付している。
【００２２】
コイル４０では、ティース部３０の側面３４側において１層目に配置された巻線４２が５列に整列されており、ティース部３０の側面３２側において１層目に配置された巻線４２が４列に整列されている。また、コイル４０では、側面３４側において２層目に配置された巻線４２が２列に整列されており、側面３２側において２層目に配置された巻線４２が３列に整列されている。すなわち、ステータ２０の軸方向から見て、コイル４０が、ステータ２０の軸心を通過し且つティース部３０の幅方向中央を通過する基準線Ｌに対して非対称形状を成している。
【００２３】
また、ティース部３０の側面３４側において１層目に配置された巻線４２（１），（３），（５），（７），（９）では、巻線ピッチ（ティース部３０の延設方向において隣接する巻線４２の中心間距離）が第１ピッチＰ１とされており、第１ピッチＰ１は巻線４２の線径ｄと一致するように設定されている。すなわち、側面３４側において１層目に配置される巻線４２（１），（３），（５），（７），（９）では、ステータ２０の径方向において隣接する巻線４２同士が互いに当接した状態で整列している。そして、巻線４２（１）がインシュレータ（図示省略）を介してフランジ部３６に当接するように構成され、巻線４２（９）がインシュレータ（図示省略）を介して継鉄部２８に当接するように構成されている。
【００２４】
一方、ティース部３０の側面３２側において１層目に配置される巻線４２では、巻線４２（２）と巻線４２（４）との間及び巻線４２（６）と巻線４２（８）との間の巻線ピッチが、第１ピッチＰ１とされている。そして、巻線４２（２）が、フランジ部３６にインシュレータ（図示省略）を介して当接するように構成されている。これにより、ステータ２０の軸方向から見て、巻線４２（２），（４）と、巻線４２（１），（３）とが基準線Ｌに対して対称の位置に配置されている。
【００２５】
また、巻線４２（４）と巻線４２（６）との間の巻線ピッチが第２ピッチＰ２とされており、第２ピッチＰ２は、第１ピッチＰ１より大きく且つ巻線４２の線径ｄの２倍よりも小さく（本実施の形態では、巻線４２の線径ｄの略３／２倍）に設定されている。これにより、側面３２側に配置された１層目の巻線４２では、巻線４２（４）と巻線４２（６）とがステータ２０の径方向に離間して配置されており、巻線４２（８）が継鉄部２８からステータ２０の径方向内側に離間して配置されている。そして、ステータ２０の軸方向から見て、巻線４２（６）（巻線４２（８））が巻線４２（５）（巻線４２（７））に対してステータ２０の径方向外側へ巻線４２の線径ｄの略１／２分ずれて配置されている。
【００２６】
さらに、側面３２側において２層目に巻き回された巻線４２では、巻線４２（１０）が、インシュレータ（図示省略）を介して継鉄部２８に当接されると共に、一層目の巻線４２（８）に当接（接触）されている。また、巻線４２（１２）が、一層目の巻線４２（８）及び巻線４２（１２）に当接するように配置されている。さらに、巻線４２（１４）が、一層目の巻線４２（６）及び巻線４２（４）に当接するように配置されている。すなわち、巻線４２（１２）が本発明の「第１巻線部」とされており、巻線４２（１４）が本発明の「第２巻線部」とされている。
【００２７】
一方、ティース部３０の側面３４側において２層目に巻き回される巻線４２では、巻線４２（１１）が、一層目の巻線４２（９）及び巻線４２（７）に当接するように配置され、巻線４２（１３）が、一層目の巻線４２（７）及び巻線４２（５）に当接するように配置されている。
【００２８】
そして、ティース部３０の側面３２側の巻線４２（１０）（巻線４２（１２））が、ティース部３０の側面３４側の巻線４２（１１）（巻線４２（１３））に対して継鉄部２８の径方向外側へ巻線４２の線径ｄの略１／２分ずれて配置されている。また、巻線４２（１４）は、巻線４２（１０），（１２）に対して、継鉄部２８の径方向内側に配置されると共に、ティース部３０側（１層目の巻線４２側）に配置されている。さらに、巻線４２（１４）は、ステータ２０の周方向一方側に隣接して配置されたティース部３０に巻き回された巻線４２（１３）に対して継鉄部２８の径方向内側に配置されると共に、当該巻線４２（１３）とは離間して配置されている。
【００２９】
次に第１の実施の形態の作用及び効果について説明する。
【００３０】
上記のように構成されたステータ２０では、ティース部３０に巻線４２が巻き回されて、コイル４０が形成されている。このコイル４０では、巻線４２がティース部３０に集中巻きにて整列して２層に巻き回されている。
【００３１】
ここで、コイル４０において、ティース部３０の側面３２側に配置された１層目の巻線４２の巻線ピッチが、２箇所の第１ピッチＰ１と１箇所の第２ピッチＰ２とで構成されている。具体的には、巻線４２（２）と巻線４２（４）との間及び巻線４２（６）と巻線４２（８）との間の巻線ピッチが第１ピッチＰ１とされており、第１ピッチＰ１が巻線４２の線径ｄと一致している。また、巻線４２（４）と巻線４２（６）との間の巻線ピッチが第２ピッチＰ２とされており、第２ピッチＰ２は、第１ピッチＰ１より大きく且つ巻線４２の線径ｄの２倍よりも小さく（具体的には、巻線４２の線径ｄの３／２倍）に設定されている。このため、ステータ２０の径方向（ティース部３０の延出方向）において、第２ピッチＰ２に対してステータ２０の径方向外側に配置される巻線４２（すなわち、第１ピッチＰ１を構成する巻線４２（６），（８））の位置を、第２ピッチＰ２によって調整することができる。これにより、２層目に巻き回される巻線４２の列替角度を小さくすることができる。
【００３２】
この点について、図３に示される比較例と比較しつつ説明する。比較例では、ステータ２０の軸方向から見て、ティース部３０の側面３２側に配置された巻線４２と、ティース部３０の側面３４側に配置される巻線４２と、が基準線Ｌに対して対称に配置されている。すなわち、ティース部３０の側面３２側に配置された１層目の巻線４２の巻線ピッチが全て第１ピッチＰ１とされており、側面３２側において１層目に配置される巻線４２が５列とされている。そして、側面３２側において２層目に配置される巻線４２が２列とされている。これにより、比較例では、２層目に配置される巻線４２が列替をするときには、巻線４２が、ステータ２０の径方向に第１ピッチＰ１分（すなわち、巻線４２の線径ｄ分）ずれるようにして巻き回される。
【００３３】
これに対して、第１の実施の形態では、巻線４２（４）と巻線４２（６）との間の巻線ピッチが第２ピッチＰ２とされている。このため、ステータ２０の径方向において、ティース部３０の側面３２側に配置される巻線４２（６）（巻線４２（８））の位置を、ティース部３０の側面３４側に配置される巻線４２（５）（巻線４２（７））に対してずらすことができる。すなわち、第１の実施の形態では、ステータ２０の径方向において、巻線４２（６）（巻線４２（８））の位置が巻線４２（５）（巻線４２（７））に対して巻線４２の線径ｄの略１／２分ずれて配置されている。これにより、２層目に配置される巻線４２が列替をするときのステータ２０の径方向における距離を巻線４２の線径ｄよりも小さくすることができる。以上により、２層目に巻き回される巻線４２の列替角度θ（図１参照）を、比較例における巻線４２の列替角度θ’（図３参照）と比べて小さくすることができる。
【００３４】
また、第１の実施の形態では、ティース部３０の側面３２側の巻線４２（１４）が、巻線４２（１０），（１２）に対して、ステータ２０（継鉄部２８）の径方向内側に配置されると共に、ティース部３０側（１層目の巻線４２側）に配置されている。このため、コイル４０におけるステータ２０（継鉄部２８）の径方向内側の幅寸法を、コイル４０におけるステータ２０（継鉄部２８）の径方向外側の幅寸法に比べて小さくすることができる。これにより、ステータ２０（継鉄部２８）の周方向に隣接するコイル４０同士の干渉を回避しつつ、巻線４２をより多く配置することができる。
【００３５】
（第２の実施の形態）
以下、図４を用いて第２の実施の形態について説明する。第２の実施の形態では、巻線４２が巻き回された状態を除いて第１の実施の形態と同様に構成されている。
【００３６】
すなわち、第２の実施の形態では、ステータ２０の側面３２側に配置される巻線４２の巻線ピッチが、１箇所の第１ピッチＰ１と２箇所の第２ピッチＰ２とで構成されている。具体的には、巻線４２（６）と巻線４２（８）との間の巻線ピッチが第２ピッチＰ２Ａとされ、巻線４２（４）と巻線（６）との間の巻線ピッチが第２ピッチＰ２Ｂとされており、第２ピッチＰ２Ｂが第２ピッチＰ２Ａよりも大きく（長く）設定されている。換言すると、第２ピッチＰ２において、ティース部３０の先端側（ステータ２０の径方向内側）に配置された第２ピッチＰ２Ｂが、ティース部３０の基端側（ステータ２０の径方向外側）に配置された第２ピッチＰ２Ａよりも大きく（長く）設定されている。
【００３７】
そして、コイル４０における２層目の巻線４２（１２）が、第２ピッチＰ２Ｂを構成する巻線４２（８）及び巻線（６）に当接されており、コイル４０における２層目の巻線４２（１４）が、第２ピッチＰ２Ａを構成する巻線４２（６）及び巻線（４）に当接されている。これにより、第２の実施の形態においても第１の実施の形態と同様の作用及び効果を奏することができる。
【００３８】
また、第２の実施の形態では、ティース部３０の側面３２側に配置される巻線４２の巻線ピッチが、２箇所の第２ピッチＰ２（第２ピッチＰ２Ａ及び第２ピッチＰ２Ｂ）と１箇所の第１ピッチＰ１とで構成されており、第２ピッチＰ２Ｂが第２ピッチＰ２Ａよりも大きく（長く）設定されている。このため、２層目の巻線４２（１２）が巻線４２（１０）に対してティース部３０側（１層目の巻線４２側）に配置され、２層目の巻線４２（１４）が巻線４２（１２）に対してティース部３０側（１層目の巻線４２側）に配置される。これにより、コイル４０の幅寸法を、ステータ２０（継鉄部２８）の径方向内側へ向かうに従い小さくすることができる。これにより、ステータ２０（継鉄部２８）の周方向に隣接するコイル４０同士の干渉を効果的に回避しつつ、巻線４２をより多く配置することができる。
【００３９】
なお、第１の実施の形態及び第２の実施の形態では、ステータ２０の軸方向から見たティース部３０の幅寸法Ｗが一定に設定されているが、ティース部３０の幅寸法Ｗがステータ２０（継鉄部２８）の径方向内側へ向かうに従い小さくなるように設定してもよい。このため、コイル４０の幅寸法を、ステータ２０の径方向内側へ向かうに従い小さくすることができる。これにより、ステータ２０（継鉄部２８）の周方向に隣接するコイル４０同士の干渉を有効に回避しつつ、巻線４２をより多く配置することができる。なお、この場合では、第１の実施の形態において、ティース部３０の基端側に第２ピッチＰ２を設定してもよい。すなわち、図５に示されるように、巻線４２（６）と巻線４２（８）との間の巻線ピッチを第２ピッチＰ２としてもよい。
【００４０】
また、第１の実施の形態及び第２の実施の形態では、第１ピッチＰ１が巻線４２の線径ｄと同じに設定されているが、第１ピッチＰ１を巻線４２の線径ｄよりも大きく線径ｄの２倍より小さく設定してもよい。
【００４１】
また、第１の実施の形態及び第２の実施の形態では、ティース部３０の側面３４側に配置された１層目の巻線４２が５列とされ、ティース部３０の側面３２側に配置された１層目の巻線４２が４列とされているが、１層目に配置される巻線の整列数は、ティース部３０の延設方向の長さや巻線４２の線径ｄに応じて任意に設定することができる。この場合には、ティース部３０の側面３４側に配置される１層目の巻線４２の整列数がｎとなり、ティース部３０の側面３２側に配置される１層目の巻線４２の整列数がｎ−１となる。さらに、例えば、ティース部３０の側面３２側に配置される１層目の巻線４２の整列数が５例以上の場合では、第２の実施の形態における第２ピッチＰ２を３箇所以上に設定してもよい。すなわち、第２ピッチＰ２がステータ２０の径方向内側に配置されるに従い、第２ピッチＰ２の大きさ（長さ）が大きく（長く）なるように設定されている。
【００４２】
また、第２の実施の形態では、第２ピッチＰ２Ｂが第２ピッチＰ２Ａよりも大きく設定されているが、第２ピッチＰ２Ｂと第２ピッチＰ２Ａとを同じに設定してもよい。
【００４３】
また、第１の実施の形態及び第２の実施の形態では、コイル４０における巻線４２が２層に巻き回されているが、例えばティース部３０の数に応じて、コイル４０における巻線４２を３層以上に巻き回すように構成してもよい。
【００４４】
また、第１の実施の形態及び第２の実施の形態では、巻線４２がアルミニウムを主成分とした金属（ＪＩＳ規格において規定される１０００番台）により構成された線材で製作されているが、巻線４２の材料はこれに限らない。例えば、巻線４２を銅を主成分とした金属により構成された線材で製作してもよい。
【００４５】
また、第１の実施の形態及び第２の実施の形態では、ブラシレスモータ１０がインナーロータタイプのブラシレスモータとされているが、ブラシレスモータ１０を所謂アウタロータタイプのブラシレスモータとしてもよい。すなわち、ステータ２０がブラシレスモータ１０の軸心部に配置されて、ロータ１２がステータ２０の径方向外側に配置されるように構成してもよい。この場合には、略環状の継鉄部２８から継鉄部２８の径方向外側へ放射状にティース部３０が延設される。
【符号の説明】
【００４６】
２０・・・ステータ（電機子）、２２・・・ステータコア（電機子コア）、２８・・・継鉄部、３０・・・ティース部、４０・・・コイル、４２・・・巻線、ｄ・・・巻線、Ｐ１・・・第１ピッチ、Ｐ２・・・第２ピッチ、Ｗ・・・ティース部の幅寸法
【図１】
2015216731.tif 000003
【図３】
2015216731.tif 000004
【図４】
2015216731.tif 000005
【図５】
2015216731.tif 000006
【図２】
2015216731.tif 000007